(57)【要約】【課題】２次元画像と３次元画像が混在した複数の画像の一覧において、２次元画像か３次元画像かの区別がユーザにとって容易な３次元ディスプレイ装置を実現する。【解決手段】本発明に係る３次元ディスプレイ装置１は、２次元画像と３次元画像が混在した複数の画像の各々が２次元画像であるか３次元画像であるかを判定するＣＰＵ１１８と、上記複数の画像の各々に対応するサムネイル画像をＬＣＤ１１０に表示させるＯＳＤ生成部１０６とを備えている。また、ＯＳＤ生成部１０６は、ＣＰＵ１１８によって３次元画像であると判定された画像のサムネイル画像と共に、当該画像が３次元画像であることを示すアイコンまたは文字列をＬＣＤ１１０に表示させる。【選択図】図１
2012029001.tif 000002
【特許請求の範囲】
【請求項１】
２次元画像と３次元画像が混在した複数の画像の各々が２次元画像であるか３次元画像であるかを判定する判定手段と、
上記複数の画像の各々に対応するサムネイル画像を表示部に表示させる表示手段とを備え、
上記表示手段は、表示された複数の上記サムネイル画像のうち、上記判定手段によって３次元画像であると判定された画像のサムネイル画像と共に、当該画像が３次元画像であることを示す、予め定められたアイコンまたは文字列を表示させることを特徴とする３次元ディスプレイ装置。
【請求項２】
上記複数の画像のうち、いずれかの画像を上記表示部に表示させる表示制御手段をさらに備え、
上記表示手段は、上記表示制御手段により表示された上記画像が３次元画像である場合、当該画像と共に上記アイコンまたは上記文字列を表示させることを特徴とする請求項１に記載の３次元ディスプレイ装置。
【請求項３】
上記表示制御手段は、上記複数の画像のうち、いずれかの２次元画像または３次元画像を上記表示部に３次元表示させる機能をさらに有することを特徴とする請求項２に記載の３次元ディスプレイ装置。
【請求項４】
２次元画像と３次元画像が混在した複数の画像のサムネイルを表示部に表示する方法であって、
上記複数の画像の各々が２次元画像であるか３次元画像であるかを判定する判定工程と、
上記複数の画像の各々に対応するサムネイル画像を表示部に表示させる表示工程とを有し、
上記表示工程は、表示された複数の上記サムネイル画像のうち、上記判定工程において３次元画像であると判定された画像のサムネイル画像と共に、当該画像が３次元画像であることを示す、予め定められたアイコンまたは文字列を表示させる工程を含んでいることを特徴とする表示方法。
【請求項５】
請求項１から３のいずれか１項に記載の３次元ディスプレイ装置としてコンピュータを機能させるためのプログラムであって、コンピュータを上記３次元ディスプレイ装置が備えている上記各手段として機能させるためのプログラム。
【請求項６】
請求項５に記載のプログラムが記録されたコンピュータ読み取り可能な記録媒体。
【発明の詳細な説明】
【技術分野】
【０００１】
本発明は、画像を３次元表示する３次元ディスプレイに関する。また、そのような３次元ディスプレイにおいて画像を表示する表示方法に関する。更に、そのような３次元ディスプレイとしてコンピュータを動作させるプログラム、及び、そのようなプログラムが記録されている記録媒体に関する。
【背景技術】
【０００２】
３次元ディスプレイが市場に浸透し始め、３次元画像の立体視が身近なものになりつつある。３次元ディスプレイとしては、３次元動画像を表示可能な３Ｄテレビジョン受像機の他に、３次元静止画像を表示可能な３Ｄデジタルフォトフレームが挙げられる。
【０００３】
このような３次元ディスプレイは、３次元静止画像を撮像可能な３Ｄデジタルカメラと併用されることが多い。３Ｄデジタルカメラでは、１回の撮像により２次元画像ファイルと３次元画像ファイルとが同時に生成される。３次元画像ファイルのフォーマットとしては、左目用画像と右目用画像とを格納可能なマルチピクチャフォーマット（Ｍｕｌｔｉ−Ｐｉｃｔｕｒｅ  Ｆｏｒｍａｔ）形式（拡張子は.mpo）が一般的である（非特許文献１参照）。
【０００４】
ところで、多数の画像を一覧表示するために縮小された画像（サムネイル画像）を表示する機能は、多くのデジタルカメラやパーソナルコンピュータ（ＰＣ）、テレビジョン受信機において一般的になっている。ユーザは一覧画面に表示された複数のサムネイル画像の中から所望の画像に対応するサムネイル画像を選択することによって、当該画像の表示または編集等をすることができる。近年では、画像を撮像する撮像機器の多様化に合わせて、撮像画像のサムネイル画像を当該画像の撮像機器に応じたアイコンと共に表示する方法も開発されている（特許文献１参照）。
【先行技術文献】
【非特許文献】
【０００５】
【非特許文献１】カメラ映像機器工業会規格  ＣＩＰＡ  ＤＣ−００７−２００９  マルチピクチャフォーマット  ２００９年２月４日制定
【特許文献】
【０００６】
【特許文献１】特開２００９−２６０５９９号公報（２００９年１１月５日公開）
【発明の概要】
【発明が解決しようとする課題】
【０００７】
本発明者らは、３次元ディスプレイが複数の画像を一覧表示するためにサムネイル画像を表示する場合、以下の問題が存在すると考えた。
【０００８】
例えば、３Ｄデジタルカメラは上述したように１回の撮像により２次元画像と３次元画像とを同時に生成するため、これら全ての画像が３次元ディスプレイに入力された場合、３次元ディスプレイには、２次元画像と３次元画像とが混在した複数の画像が取り込まれる。
【０００９】
３次元ディスプレイが、２次元画像と３次元画像とが混在した複数の画像を一覧表示する場合、各画像のサムネイル画像を２次元表示する方法が考えられる。しかしながら、この方法では、ユーザが各画像のサムネイル画像を見ることによって、各画像が２次元画像であるか３次元画像であるかの区別をつけることは難しい。特に、３次元ディスプレイが画像のファイル名等の情報を表示する機能を有さない場合には、画像の一覧表示画面から各画像が２次元画像であるか３次元画像であるかを区別することができなくなってしまう。
【００１０】
上述のような３次元ディスプレイは、ユーザにとって使い易いものではない。例えば、３次元ディスプレイ装置であれば、３次元画像のみを選択して表示させたいというユーザの要望が想定される。ところが、上述のような３次元ディスプレイでは、ユーザが画像の一覧表示画面から３次元画像のみを選択する操作を行うことは難しい。
【００１１】
また、特許文献１の技術では、２次元画像と３次元画像が混在する場合の一覧方法について何ら開示されていない。
【００１２】
本発明は、上記の課題を解決するためになされたものであり、その主たる目的は、２次元画像と３次元画像が混在した複数の画像の一覧において、２次元画像か３次元画像かの区別が容易であり、ユーザにとって使い易い３次元ディスプレイ装置を実現することにある。
【課題を解決するための手段】
【００１３】
本発明に係る３次元ディスプレイ装置は、上記課題を解決するために、２次元画像と３次元画像が混在した複数の画像の各々が２次元画像であるか３次元画像であるかを判定する判定手段と、上記複数の画像の各々に対応するサムネイル画像を表示部に表示させる表示手段とを備え、上記表示手段は、表示された複数の上記サムネイル画像のうち、上記判定手段によって３次元画像であると判定された画像のサムネイル画像と共に、当該画像が３次元画像であることを示す、予め定められたアイコンまたは文字列を表示させることを特徴としている。
【００１４】
上記構成によれば、本発明に係る３次元ディスプレイ装置は、２次元画像と３次元画像とが混在した複数の画像（画像データ）を一覧表示するために、各画像に対応するサムネイル画像を一覧画面に表示する。このとき、３次元ディスプレイ装置は、画像の一覧画面において、３次元画像に対応するサムネイル画像と共に、アイコンまたは文字列を表示することができる。なお、３次元ディスプレイ装置において、アイコンまたは文字列は表示前にどのようなものを使用するかを予め設定されているとする。
【００１５】
よって、本発明に係る３次元ディスプレイ装置によれば、２次元画像と３次元画像とが混在した複数の画像の一覧画面において、各画像のファイル名等が表示されていなくとも、ユーザはアイコンまたは文字列の有無を確認することによって、一覧表示された画像が２次元画像であるか３次元画像であるかを認識することができる。このため、ユーザは画像の一覧画面から、２次元画像のみまたは３次元画像のみを選択する操作を容易に行うことができる。したがって、ユーザにとって使い易い３次元ディスプレイ装置を実現することができる。
【００１６】
さらに、本発明に係る３次元ディスプレイ装置によれば、画像の一覧画面において、２次元表示形式でサムネイル画像を表示させることができる。すなわち、２次元表示形式と３次元表示形式とを混在させずともよいため、当該一覧画面の表示方法や画像の選択操作方法を、従来の２次元表示形式と同様の簡単な形式によって実現することができる。
【００１７】
また、本発明に係る３次元ディスプレイ装置は、上記複数の画像のうち、いずれかの画像を上記表示部に表示させる表示制御手段をさらに備え、上記表示手段は、上記表示制御手段により表示された上記画像が３次元画像である場合、当該画像と共に上記アイコンまたは上記文字列を表示させることが好ましい。
【００１８】
上記構成によれば、画像が２次元表示されているか３次元表示されているかに関わらず、ユーザは表示中の画像が２次元画像であるか３次元画像であるかを認識することができる。例えば、３次元画像が２次元表示モードで表示されている場合であっても、ユーザは表示中の画像が３次元画像であることに気づくことによって、表示モードを３次元表示モードに切り替えることができる。
【００１９】
また、本発明に係る３次元ディスプレイ装置において、上記表示制御手段は、上記複数の画像のうち、いずれかの２次元画像または３次元画像を上記表示部に３次元表示させる機能をさらに有することが好ましい。
【００２０】
上記構成によれば、２次元画像が擬似的に３次元表示される環境において、ユーザは３次元表示されている画像が元は２次元画像であるか３次元画像であるかについて、上記アイコン等の有無を確認することによって認識することができる。
【００２１】
本発明に係る表示方法は、２次元画像と３次元画像が混在した複数の画像のサムネイルを表示部に表示する方法であって、上記複数の画像の各々が２次元画像であるか３次元画像であるかを判定する判定工程と、上記複数の画像の各々に対応するサムネイル画像を表示部に表示させる表示工程とを有し、上記表示工程は、一覧表示された複数の上記サムネイル画像のうち、上記判定工程において３次元画像であると判定された画像のサムネイル画像と共に、当該画像が３次元画像であることを示す、予め定められたアイコンまたは文字列を表示させる工程を含んでいることを特徴としている。
【００２２】
上記方法によれば、本発明に係る３次元ディスプレイ装置と同様の作用効果を奏する。
【００２３】
また、上記３次元ディスプレイ装置は、コンピュータによって実現してもよい。この場合、コンピュータを上記各手段として動作させることにより上記３次元ディスプレイ装置をコンピュータにおいて実現する表示プログラム、およびその表示プログラムを記録したコンピュータ読み取り可能な記録媒体も、本発明の範疇に入る。
【発明の効果】
【００２４】
以上のように、本発明に係る３次元ディスプレイ装置は、２次元画像と３次元画像が混在した複数の画像の各々が２次元画像であるか３次元画像であるかを判定する判定手段と、上記複数の画像の各々に対応するサムネイル画像を表示部に表示させる表示手段とを備え、上記表示手段は、表示された複数の上記サムネイル画像のうち、上記判定手段によって３次元画像であると判定された画像のサムネイル画像と共に、当該画像が３次元画像であることを示すアイコンまたは文字列を表示させることを特徴としている。
【００２５】
したがって、一覧表示された画像が２次元画像であるか３次元画像であるかについてユーザが認識することを容易にし、ユーザにとって使い易い３次元ディスプレイ装置を実現することができる。
【図面の簡単な説明】
【００２６】
【図１】本発明の実施形態に係る３次元ディスプレイ装置の構成を示すブロック図である。
【図２】図１に示す３次元ディスプレイ装置におけるフォルダ一覧表示画面の一例を示す図である。
【図３】図１に示す３次元ディスプレイ装置における画像表示処理の流れを示すフローチャートである。
【図４】図１に示す３次元ディスプレイ装置における画像一覧表示画面の一例を示す図である。
【図５】図１に示す３次元ディスプレイ装置における画像表示画面の一例を示す図である。
【発明を実施するための形態】
【００２７】
本発明の３次元ディスプレイ装置に関する実施の一形態について図１から図５を参照して説明すれば、以下のとおりである。
【００２８】
なお、本実施形態に係る３次元ディスプレイ装置１は、３Ｄテレビジョン受像機（以下「テレビ」と呼称する）としての機能を有しているが、本発明はこれに限定されるものではなく、３Ｄデジタルフォトフレームなど、他の３次元ディスプレイ装置に適用することもできる。
【００２９】
〔３次元ディスプレイ装置１の構成〕
本実施形態に係る３次元ディスプレイ装置１の構成について、図１を参照して説明する。図１は、３次元ディスプレイ装置１の構成を示すブロック図である。
【００３０】
図１に示すように、３次元ディスプレイ装置１は、映像受信手段として、ＨＤＭＩスイッチ１１ｄにより３つのＨＤＭＩ入力端子１１ａ〜１１ｃのいずれかと接続されるＨＤＭＩレシーバ１００、映像入力端子１０１ａおよび音声入力端子１０１ｂ、チューナ１０３、ＩＰ放送チューナ１０４、ならびに衛星放送チューナ１０５を備えている。
【００３１】
また、３次元ディスプレイ装置１は、画像の入力インターフェースとして、ＢＤドライブ１０２、イーサネット（登録商標）Ｉ／Ｆ１１５、ＩｒＳＳ赤外線受光部１２０、及びＵＳＢ・Ｉ／Ｆ１２１を備えている。なお、本発明に係る３次元ディスプレイ装置は、これら全てを備えることに限定されず、少なくともいずれかの入力インターフェースを備えていることが好ましい。
【００３２】
その他、３次元ディスプレイ装置１は、ＯＳＤ生成部１０６、映像セレクタ１０７、映像処理回路１０８、ＬＣＤコントローラ１０９、ＬＣＤ（Liquid Crystal Display）１１０、音声セレクタ１１１、ＲＯＭ１１６、ＲＡＭ１１７、ＣＰＵ１１８、リモコン赤外線受光部１１９、スイッチ１３０、３Ｄ処理部１３１、２Ｄ−３Ｄ変換部１３２、及び、眼鏡制御部１３３を備えている。
【００３３】
各部材について以下に簡単に説明する。以下の説明では、３次元ディスプレイ装置１において２次元表示を行う設定を２Ｄモードと称し、３次元表示を行う設定を３Ｄモードと称する。
【００３４】
３次元ディスプレイ装置１において、（１）ＨＤＭＩレシーバ１００が受信した映像、（２）映像入力端子１０１ａから入力された映像、（３）ＢＤドライブ１０２がＢＤ（Blu-ray Disc）から読み出した映像、（４）チューナ１０３が受信した映像、（５）ＩＰ放送チューナ１０４が受信した映像、及び、（６）衛星放送チューナ１０５が受信した映像は、それぞれ、映像セレクタ１０７に供給される。また、（１）ＨＤＭＩレシーバ１００が受信した音声、（２）音声入力端子１０１ｂから入力された音声、（３）ＢＤドライブ１０２がＢＤから読み出した音声、（４）チューナ１０３が受信した音声、（５）ＩＰ放送チューナ１０４が受信した音声、及び、（６）衛星放送チューナ１０５が受信した音声は、それぞれ、音声セレクタ１１１に供給される。
【００３５】
なお、（ａ）ＨＤＭＩレシーバ１００が何れのＨＤＭＩ入力端子に接続されるか、すなわち、ＨＤＭＩスイッチ１１ｄが何れのＨＤＭＩ入力端子から入力された画像をＨＤＭＩレシーバ１００に供給するか、（ｂ）チューナ１０３が何れのチャンネルを介して伝送された画像を受信するか、（ｃ）ＩＰ放送チューナ１０４が何れのサーバから配信された画像を受信するか、（ｄ）衛星放送チューナ１０５が何れのチャンネルを介して伝送された画像を受信するかを選局する選局制御は、ＣＰＵ１１８によって行われる。また、（ｅ）ＢＤドライブ１０２における再生、停止、早送り、巻戻し、チャプタ遷移などの再生制御も、ＣＰＵ１１８によって行われる。
【００３６】
映像セレクタ１０７は、（１）ＨＤＭＩレシーバ１００から供給された映像、（２）映像入力端子１０１ａから供給された映像、（３）ＢＤドライブ１０２から供給された映像、（４）チューナ１０３から供給された映像、（５）ＩＰ放送チューナ１０４から供給された映像、及び、（６）衛星放送チューナ１０５から供給された映像のうちの何れか１つを選択する。映像セレクタ１０７によって選択された映像は、映像処理回路１０８に供給される。なお、映像セレクタ１０７が何れの映像を選択するかは、ＣＰＵ１１８によって制御される。
【００３７】
また、音声セレクタ１１１は、（１）ＨＤＭＩレシーバ１００から供給された音声、（２）映像入力端子１０１ａから供給された音声、（３）ＢＤドライブ１０２から供給された音声、（４）チューナ１０３から供給された音声、（５）ＩＰ放送チューナ１０４から供給された音声、及び、（６）衛星放送チューナ１０５から供給された音声のうちの何れか１つを選択する。音声セレクタ１１１によって選択された音声は、音声処理回路１１２に供給される。なお、音声セレクタ１１１が何れの音声を選択するかは、ＣＰＵ１１８によって制御される。ただし、映像セレクタ１０７における映像の選択と、音声セレクタ１１１における音声の選択とは連動しており、例えば、映像セレクタ１０７がＨＤＭＩレシーバ１００から供給された映像を選択しているときには、音声セレクタ１１１もＨＤＭＩレシーバ１００から供給された音声を選択する。
【００３８】
イーサネットＩ／Ｆ１１５は、３次元ディスプレイ装置１をネットワークに接続するためのインターフェースである。３次元ディスプレイ装置１は、イーサネットＩ／Ｆ１１５を介してネットワーク上のサーバから画像等を取得することができる。イーサネットＩ／Ｆ１１５は、替わりにＬＡＮケーブルの接続するインターフェースであってもよいし、同軸ケーブルを接続するインターフェースであってもよい。イーサネットＩ／Ｆ１１５を介して受信された画像は、例えばＲＡＭ１１７等の記憶媒体に保存される。
【００３９】
なお、上述したＩＰ放送チューナ１０４は、このイーサネットＩ／Ｆ１１５を介してインターネット上のサーバにアクセスする。
【００４０】
また、イーサネットＩ／Ｆ１１５は、有線ケーブルに限定されない。たとえば、無線ＬＡＮ、Ｂｌｕｅｔｏｏｔｈ、及びＷｉｆｉなどの無線ネットワークへ接続するためのインターフェースであってもよい。
【００４１】
ＩｒＳＳ赤外線受光部１２０は、ＩｒＳＳを用いた近距離無線通信により、デジタルカメラ等から送信された画像を受信することができる。ＩｒＳＳ赤外線受光部１２０を介して受信された画像は、例えばＲＡＭ１１７等の記憶媒体に保存される。
【００４２】
ＵＳＢ・Ｉ／Ｆ１２１は、ＵＳＢメモリを３次元ディスプレイ装置１に接続するためのインターフェースである。３次元ディスプレイ装置１は、このＵＳＢ・Ｉ／Ｆ１２１を介してＵＳＢメモリ内に記憶された画像の読み取り、表示することができる。なお、ＵＳＢ・Ｉ／Ｆ１２１は、ＵＳＢメモリを接続するインターフェースに限定されない。例えば、替わりにＳＤカードを接続するインターフェースであってもよいし、外付けのハードディスクドライブや、ＢＤドライブを接続するインターフェースであってもよい。
【００４３】
ＣＰＵ（判定手段）１１８は、ＲＡＭ１１７等の記憶媒体やＵＳＢメモリ等に保存された複数の画像について、各画像が２次元画像であるか３次元画像であるかについての判定を行うことができる。ＣＰＵ１１８はこの判定結果に応じて各ブロックを制御することができる。
【００４４】
なお、３次元画像とは、ユーザの右目に提示するための右目用画像と、ユーザの左目に提示するための左目用画像を含む画像（画像データ）のことを指す。
【００４５】
また、ＣＰＵ１１８は、設定された表示モード（２Ｄモードまたは３Ｄモード）に応じて、画像のデコード等の処理を行うことができる。例えば、ＣＰＵ１１８は、２次元画像を２Ｄ表示または３Ｄ表示する場合、その２次元画像をデコードすることにより得られた画像をコマ画像とする２次元映像を生成し、映像処理回路１０８に供給する。一方、ＣＰＵ１１８は、３次元画像を３Ｄ表示する場合、その３次元画像をデコードすることにより得られた右目用画像と左目用画像との両方を含むコマ画像からなる３次元映像（サイドバイサイド方式、トップアンドボトム方式、またはフレームパッキング方式）を生成し、映像処理回路１０８に供給する。また、ＣＰＵ１１８は、３次元画像を２Ｄ表示する場合、その３次元画像のうち右目用画像または左目用画像のいずれかをデコードすることにより得られた画像をコマ画像とする２次元映像を生成し、映像処理回路１０８に供給する。
【００４６】
映像処理回路１０８には、映像セレクタ１０７から供給された映像や、ＣＰＵ１１８により生成された２次元映像また３次元映像が入力される。映像処理回路１０８は、入力された映像の画質を調整し、スケーリングを行う。ここで、画質の調整とは、例えば、輝度、シャープネス、及び、コントラストの少なくとも何れかを変化させることを指す。また、スケーリングとは、表示すべき映像の本来のアスペクト比を保ったままサイズを縮小することを指す。映像処理回路１０８によって画質調整とスケーリングとを施された映像や画像は、スイッチ１３０に供給される。なお、映像処理回路１０８が画質をどのように変化させるか、及び、映像をどの程度縮小するかは、ＣＰＵ１１８によって制御される。
【００４７】
ＯＳＤ生成部１０６（表示手段）は、映像処理回路１０８から出力される映像に重ねて表示するＯＳＤ画像を生成する。例えば、ＯＳＤ生成部１０６は、２Ｄ／３Ｄモードを切り替えるためのメニュー画像を生成してもよい。ＯＳＤ生成部１０６が生成した画像は、加算器によって映像処理回路１０８から供給された映像に加算されて、スイッチ１３０に供給される。
【００４８】
また、ＯＳＤ生成部１０６は、画像データに含まれるサムネイル画像を読み取り、各画像のサムネイル画像が表示される一覧表示画面を生成し、ＬＣＤコントローラ１０９を介してＬＣＤ（表示部）１１０に表示させることができる。なお、画像データにサムネイル画像が含まれていない場合には、ＯＳＤ生成部１０６は、画像データに基づいてサムネイル画像を生成する処理を行ってもよい。例えば３次元画像のサムネイル画像は、右目用画像または左目用画像を利用して生成され得る。
【００４９】
また、ＯＳＤ生成部１０６は、ＣＰＵ１１８による判定結果に基づいて、３次元画像であることを示すアイコン（以下、３Ｄアイコンと称する）を取得し、ＬＣＤコントローラ１０９を介して、３次元画像やそのサムネイル画像と共に３Ｄアイコンを表示させることができる。
【００５０】
なお、３次元画像であることを示す手段はアイコンに限られず、文字列、マーク、記号、識別子、絵記号、絵文字、符号、音声等であってもよい。例えば、これらのデータはＲＯＭ１１６等に記憶されており、いずれのデータを用いるかが表示前に設定されており、設定は任意に変更可能であるとする。
【００５１】
スイッチ１３０は、映像処理回路１０８及びＯＳＤ生成部１０６から出力される２次元映像または３次元映像の供給先として、２Ｄ−３Ｄ変換部１３２、３Ｄ処理部１３１、またはＬＣＤコントローラ１０９のいずれかを選択する切換を行う。
【００５２】
例えば、２Ｄモードが選択されている場合、２次元画像または３次元画像から生成された２次元映像は、スイッチ１３０から直接ＬＣＤコントローラ１０９に供給される。また、３Ｄモードが選択されている場合、２次元画像はスイッチ１３０から２Ｄ-３Ｄ変換部１３２及び３Ｄ処理部１３１を介してＬＣＤコントローラ１０９に供給され、３次元映像は、スイッチ１３０から３Ｄ処理部１３１を介してＬＣＤコントローラ１０９に供給される。
【００５３】
３Ｄ処理部１３１は、右目用画像と左目用画像との両方を含むコマ画像からなる３次元映像（サイドバイサイド方式、トップアンドボトム方式、またはフレームパッキング方式）を、右目用画像のみを含む右目用コマ画像と左目用画像のみを含む左目用コマ画像とからなる３次元映像に変換するものである。例えば、変換前の映像信号がサイドバイサイド方式の映像信号である場合、３Ｄ処理部１３１は、（１）変換前の３次元映像を構成する各コマ画像の右半分を横方向に２倍に拡大することによって右目用コマ画像を生成し、（２）変換前の３次元映像を構成する各コマ画像の左半分を横方向に２倍に拡大することによって左目用コマ画像を生成し、（３）生成した右目用コマ画像と左目用コマ画像とを交互に出力する。このため、３Ｄ処理部１３１から出力される映像のフレームレート（例えば２４０フレーム／秒）は、３Ｄ処理部１３１に入力される映像のフレームレート（例えば１２０フレーム／秒）の２倍になる。３次元画像を３次元表示することは、３次元画像に含まれる右目用画像をユーザの右目に選択的に提示し、その３次元画像に含まれる左目用画像をユーザの左目に選択的に提示することによって実現できる。
【００５４】
２Ｄ−３Ｄ変換部１３２は、２次元映像から擬似３次元映像（擬似３次元画像）を生成する機能を有する。なお、擬似３次元画像とは、単一の２次元画像から生成した右目用画像と左目用画像とを含む３次元画像のことを指す。具体的には、２Ｄ−３Ｄ変換部１３２は、表示モードが３Ｄモードであるとき、映像処理回路１０８及びＯＳＤ生成部１０６から供給された２次元映像を擬似３次元映像に変換する。２次元映像から３次元映像への変換は、例えば、２次元映像を構成するコマ画像から右目用画像と左目用画像とを生成し、生成した右目用画像と左目用画像との両方を含む画像をコマ画像とすることによって実現される。右目用画像と左目用画像とに、元になる２次元画像を画像解析することによって得られた奥行情報に応じた差（視差）を与えることで、擬似３次元画像を３次元表示した場合でも、３次元画像を３次元表示する場合と同様、立体視を実現することが可能になる。
【００５５】
ＬＣＤコントローラ（表示制御手段）１０９は、映像処理回路１０８及びＯＳＤ生成部１０６から、または３Ｄ処理部１３１から供給された画像や画像の一覧表示画面等が表示されるようにＬＣＤ１１０を駆動する。また、ＬＣＤコントローラ１０９は、表示モードに合わせてＬＣＤ１１０のパネル駆動速度の調整を行い、３Ｄモードの場合には、左目用画像と右目用画像との表示タイミングを眼鏡制御部１３３に通知する。
【００５６】
眼鏡制御部１３３は、ＬＣＤコントローラ１０９から受信した表示タイミングに同期して、アクティブシャッターメガネ方式の３Ｄメガネを制御する制御信号を送信するよう、赤外線発光部１２２を制御する。アクティブシャッターメガネ方式とは、３次元ディスプレイ装置１が左目用映像と右目用映像とを交互に表示するタイミングに同期して、交互に３Ｄ眼鏡のレンズを開閉する方式である。なお、本発明は当該方式に限られず、任意の方式を利用可能である。
【００５７】
音声処理回路１１２は、音声セレクタ１１１または他の入力インターフェース等から供給された音声の音量及び音質を調整する。ここで、音質の調整とは、供給された音声の周波数特性を変化させること（例えば、低域の強調や高域の強調など）を指す。音声処理回路１１２によって音量及び音質を調整された音声は、デジタルアンプ１１３に供給される。なお、音声処理回路１１２によって音量及び音質をどのように変化させるかは、ＣＰＵ１１８によって制御される。
【００５８】
デジタルアンプ１１３は、音声処理回路１１２から供給された音声が出力されるようにスピーカ１１４を駆動する。これにより、音声セレクタ１１１により選択された音声がスピーカ１１４から出力される。
【００５９】
ＲＯＭ１１６は、ＣＰＵ１１８によって実行されるプログラムなどの固定データが格納される、読み出し可能かつ書き込み不能なメモリである。ＯＳＤ画像を生成するためにＯＳＤ生成部１０６が参照するＪＰＥＧデータやＳＶＧ（Scalable Vector Graphics）データなども、このＲＯＭ１１６に格納される。また、ＲＯＭ１１６は、ＥＥＰＲＯＭであってもよい。
【００６０】
ＲＡＭ１１７は、ＣＰＵ１１８が演算のために参照するデータ、及び、ＣＰＵ１１８が演算によって生成したデータなどの可変データが格納される、読み出し可能かつ書き込み可能なメモリである。ＲＡＭ１１７には、入力インターフェースを介して取得された画像も格納される。また、ＲＡＭ１１７は、ハードディスクドライブであってもよいし、Ｆｌａｓｈメモリであってもよい。
【００６１】
リモコン赤外線受光部１１９は、リモートコントローラ（リモコン）がユーザの操作に応じて出力した制御信号を受信し、ＣＰＵ１１８に通知する。なお、リモコンとしては、には、２Ｄモード／３Ｄモードの切換について信号を送信する「３Ｄボタン」が設けられていてもよい。
【００６２】
また、本実施形態では、リモコンに備えられた方向キーの操作によって、複数のサムネイル画像が表示された一覧表示画面の中から、特定のサムネイル画像を選択するためにフォーカスを移動させることが可能である。また、サムネイル画像から選択された画像が表示されている状態では、リモコンの方向キーを操作することにより次の画像を表示することが可能である。
【００６３】
また、ＣＰＵ１１８は、リモコン赤外線受光部１１９が受信したリモコン信号に応じて各ブロックを制御する。例えば、ＣＰＵ１１８は、２Ｄモード／３Ｄモードの切換に関する通知を受け取った場合、選択されたモードに応じて、スイッチ１３０、ＬＣＤコントローラ１０９、および眼鏡制御部１３３等の制御を行う。その他、リモコン赤外線受光部１１９を用いた制御としては、例えば、チューナ１０３にて選択するチャンネルをリモコン信号に応じて切り替える制御や、映像セレクタ１０７及び音声セレクタ１１１にて選択する映像及び音声をリモコン信号に応じて切り替える制御などが挙げられる。
【００６４】
〔サムネイル画像の一覧表示処理の一例〕
３次元ディスプレイ装置１におけるサムネイル画像の表示処理について、以下に説明する。なお、以下の説明では、ユーザのリモコン操作により、画像の取得先として、ＵＳＢ・Ｉ／Ｆ１２１に接続されたＵＳＢメモリが選択された場合を例として説明する。ＵＳＢメモリには複数のフォルダが格納され、各フォルダには２次元画像および３次元画像が混在した複数の画像が記憶されているとする。
【００６５】
まず、ユーザのリモコン操作によってＵＳＢメモリが選択されると、ＯＳＤ生成部１０６は、ＵＳＢに格納されたフォルダの一覧表示画面１４０を構成し、ＬＣＤコントローラ１０９に出力する。ＬＣＤコントローラ１０９は、フォルダの一覧表示画面１４０をＬＣＤ１１０に表示させる。図２はフォルダの一覧表示画面１４０を示す図である。
【００６６】
なお、ＯＳＤ生成部１０６は、各フォルダが含む少なくとも一部の画像のサムネイル画像を読み取り、横軸に一覧表示されたフォルダ毎に、サムネイル画像を縦軸に表示させることが好ましい。サムネイル画像は、２次元画像および３次元画像に関わりなく、全て２次元表示される。また、フォルダリストを示す一覧表示画面１４０では、サーチ時間を短縮するために３Ｄアイコンを表示しないことが好ましい。
【００６７】
ユーザのリモコン操作によって、フォルダの一覧表示画面１４０から特定のフォルダ（例えばフォルダＡとする）が選択されると、選択情報がリモコン赤外線受光部１１９からＣＰＵ１１８に通知される。その後、３次元ディスプレイ装置１では、フォルダＡ内に保存された画像を一覧表示すべく、図３に示す処理が行われる。図３は、複数の画像を一覧表示する際におけるサムネイル画像の表示処理の流れを示すフローチャートである。図３に示す各ステップについて以下に説明する。
【００６８】
ステップＳ１１：ＣＰＵ１１８は、選択されたフォルダＡ内の画像を走査し、各画像が２次元画像であるか３次元画像であるかを判定する。
【００６９】
ステップＳ１２：ＯＳＤ生成部１０６は、フォルダＡ内の画像について各画像データに含まれるサムネイル画像を読み出して展開する。なお、画像データにサムネイル画像が含まれていない場合には、画像データ本体を読み出して展開し、これをサムネイルサイズに縮小してもよい。
【００７０】
ステップＳ１３：また、ＯＳＤ生成部１０６は、ＣＰＵ１１８による判定結果を受けて、３次元画像であると判定された画像のために３Ｄアイコン１５０をＲＯＭ１１６等から取得する。ＯＳＤ生成部１０６は、各画像のサムネイル画像および３Ｄアイコン１５０から一覧表示画面１４１を構成する。図４は画像の一覧表示画面１４１を示す図である。ＯＳＤ生成部１０６は、一覧表示画面１４１において、３Ｄアイコン１５０を、３次元画像であると判定された画像に対応するサムネイル画像と共に表示させる。例えば、図４に示す画像の一覧表示画面１４１において、画像ａ、ｃ、およびｆは３次元画像であり、画像ｂ、ｄ、ｅおよびｇは２次元画像である。
【００７１】
ステップＳ１４：ＯＳＤ生成部１０６は、構成した一覧表示画面１４１を、ＬＣＤコントローラ１０９を介してＬＣＤ１１０に表示させる。なお、ＬＣＤ１１０に表示されるサムネイル画像は、対応する画像が２次元画像であるか３次元画像であるかに関わりなく全て２次元表示される。
【００７２】
３Ｄアイコン１５０の表示位置は、図４に示すようにサムネイル画像に重なる位置であってもよいが、本発明はこれに限られず、サムネイル画像と３Ｄアイコン１５０との対応関係がユーザに視認される態様であればよく、例えばサムネイル画像の周囲に表示させてもよい。
【００７３】
以上のように、３次元ディスプレイ装置１は、２次元画像および３次元画像が混在した複数の画像を一覧表示する際、３次元画像に対しては３Ｄアイコン１５０と共に、各画像のサムネイル画像を表示する。
【００７４】
したがって、３次元ディスプレイ装置１では、仮にファイル名等が表示されない場合であっても、ユーザはアイコンの有無を確認することによって、一覧表示された画像が２次元画像と３次元画像とを容易に区別することができる。このため、ユーザは２次元画像のみ、または３次元画像のみを選択して表示させる等の操作を容易に行うことが可能になる。
【００７５】
また、３次元ディスプレイ装置１では、３次元画像のサムネイル画像を３Ｄ表示させる必要はなくなるため、画像の一覧表示画面の表示方法や画像の選択方法について、従来の２Ｄ形式と同様の簡単な形式で行うことができる。
【００７６】
（サムネイル画像の表示処理の変形例）
上述の説明では、画像の取得先として、ＵＳＢ・Ｉ／Ｆ１２１に接続されたＵＳＢメモリが選択された場合を例としているが、本発明はこれに限定されず、他の入力インターフェースを介した接続先や、内部記録媒体から画像を取得してもよい。その他、上述の映像受信手段を介して画像を取得してもよい。
【００７７】
また、上述の説明では、画像の一覧を表示する場合にサムネイル画像の表示処理を行うことを例としているが、その他の各種表示画面（ＨＤＭＩメニュー画面／ＵＳＢアプリメニュー画面／３Ｄメガネをかけるモードとかけないモードの選択メニュー画面／２Ｄ３Ｄ変換表示画面／３Ｄ表示画面）を表示する場合に、上記サムネイル画像の表示処理を行ってもよい。
【００７８】
また、図４に示すように、一覧表示画面１４０では、仮選択された画像のプレビューや、その画像に含まれる詳細情報が共に表示されてもよい。
【００７９】
〔画像表示処理の一例〕
次に、３次元ディスプレイ装置１における画像の表示処理ついて説明する。
【００８０】
例えば、図４に示す画像の一覧表示画面１４１から、ユーザがリモコン操作によって、特定のサムネイル画像（例えばサムネイル画像ａとする）を選択して決定すると、リモコン赤外線受光部１１９は、リモコンから受信した選択情報をＣＰＵ１１８に通知する。ＣＰＵ１１８は、通知に応じて、この３次元画像をデコードして得られた映像（２次元映像または３次元映像）を映像処理回路１０８に供給し、映像処理回路１０８は当該映像の画質を調整してスイッチ１３０に出力する。
【００８１】
また、ＣＰＵ１１８はサムネイル画像ａに対応する画像が３次元画像であるか、２次元画像であるかを判定して判定結果をＯＳＤ生成部１０６に通知する。ここで、サムネイル画像ａに対応する画像は３次元画像であるとする。ＯＳＤ生成部１０６は、判定結果に応じて３Ｄアイコン１５０を含むＯＳＤ画像を生成し、映像処理回路１０８から出力された映像に重畳させる。このＯＳＤ画像が重畳された映像は、最終的にはＬＣＤコントローラ１０９によってＬＣＤ１１０に２Ｄまたは３Ｄ表示される。なお、２次元画像であるとの判定結果が通知された場合、ＯＳＤ生成部１０６による当該処理は行なわれない。
【００８２】
以上の処理によって、ＯＳＤ生成部１０６は、３次元画像と共に３Ｄアイコン１５０をＬＣＤ１１０に表示させることができる。なお、３Ｄアイコン１５０は、３次元画像が２Ｄ表示される場合および３Ｄ表示される場合のいずれの場合であっても表示される。
【００８３】
図５は、３次元画像が表示された画面１４２を示しており、画面１４２内には３Ｄアイコン１５０が表示されている。ユーザは３Ｄアイコン１５０の有無を確認することによって、２Ｄモードにおいても３Ｄモードにおいても、画面１４２内の表示が３次元画像に基づくものであることを認識することができる。
【００８４】
また、画像が１枚絵で表示されているときには、ユーザはリモコンの２Ｄ／３Ｄボタンを操作して表示モードを切り替えることができる。よって、３次元画像が２Ｄ表示されている場合、ユーザは３Ｄアイコン１５０を見ることにより現在表示中の画像が３次元画像であることを認識し、表示モードを３Ｄモードに切り替える判断をすることができる。
【００８５】
また、図５に示すように画像が１枚で表示された状態において、ユーザがリモコンの左右キーを操作することによって、画像を１枚ずつ送ることも可能である。例えば、サムネイル画像ａに対応する画像が表示されている状態で、ユーザがリモコンの左右キーを操作すると、ＣＰＵ１１８は、リモコン赤外線受光部１１９が受信したリモコン信号に応じて、同じフォルダＡ内の次の画像が表示されるように各ブロックを制御すると共に、当該次の画像が２次元画像か３次元画像かを判定する。ＯＳＤ生成部１０６は、次の画像が３次元画像である場合、３Ｄアイコン１５０を当該次の画像と共に表示させる。
【００８６】
〔その他〕
なお、記録媒体に記録された画像（サムネイル画像含む）は、ＪＰＥＧなどの圧縮データとして記録されたものであってもよいが、本発明はこれに限られない。また、本発明は静止画像に限られず、３Ｄ表示され得る画像を含むコンテンツであれば適用可能である。
【００８７】
また、３次元ディスプレイ装置１はテレビに限定されず、３次元ディスプレイを搭載したディスプレイ用モニター、ＰＣモニター、携帯電話端末、モバイル端末機器、カーナビ用のディスプレイ等に３Ｄデジタルカメラや３Ｄ携帯電話端末等で撮影した高精細の３次元映像を送信して好適に応用できる。
【００８８】
〔プログラム及び記録媒体〕
最後に、３次元ディスプレイ装置１の各ブロックは、集積回路（ＩＣチップ）上に形成された論理回路によってハードウェア的に実現してもよいし、ＣＰＵ（Central Processing Unit）を用いてソフトウェア的に実現してもよい。
【００８９】
後者の場合、３次元ディスプレイ装置１は、各機能を実現するプログラムの命令を実行するＣＰＵ、上記プログラムを格納したＲＯＭ（Read Only Memory）、上記プログラムを展開するＲＡＭ（Random Access Memory）、上記プログラムおよび各種データを格納するメモリ等の記憶装置（記録媒体）などを備えている。そして、本発明の目的は、上述した機能を実現するソフトウェアである３次元ディスプレイ装置１の制御プログラムのプログラムコード（実行形式プログラム、中間コードプログラム、ソースプログラム）をコンピュータで読み取り可能に記録した記録媒体を、上記３次元ディスプレイ装置１に供給し、そのコンピュータ（またはＣＰＵやＭＰＵ）が記録媒体に記録されているプログラムコードを読み出し実行することによっても、達成可能である。
【００９０】
上記記録媒体としては、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ／フラッシュＲＯＭ等の半導体メモリ類、あるいはＰＬＤ（Programmable logic device）やＦＰＧＡ（Field Programmable Gate Array）等の論理回路類などを用いることができる。
【００９１】
また、３次元ディスプレイ装置１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Virtual Private Network）、電話回線網、移動体通信網、衛星通信網等が利用可能である。また、この通信ネットワークを構成する伝送媒体も、プログラムコードを伝送可能な媒体であればよく、特定の構成または種類のものに限定されない。例えば、ＩＥＥＥ１３９４、ＵＳＢ、電力線搬送、ケーブルＴＶ回線、電話線、ＡＤＳＬ（Asymmetric Digital Subscriber Line）回線等の有線でも、ＩｒＤＡやリモコンのような赤外線、Ｂｌｕｅｔｏｏｔｈ（登録商標）、ＩＥＥＥ８０２．１１無線、ＨＤＲ（High Data Rate）、ＮＦＣ（Near Field Communication）、ＤＬＮＡ（Digital Living Network Alliance）、携帯電話網、衛星回線、地上波デジタル網等の無線でも利用可能である。
【００９２】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９３】
本発明は、受信した画像を表示可能な３次元表示を行う３次元ディスプレイ装置に広く適用することができる。３次元ディスプレイ装置としては、テレビ、及び、デジタルフォトフレームが代表的であるが、これに限定されるものではない。本発明は、ＰＣ（Personal Computer）に接続されるディスプレイ装置、ディスプレイを内蔵したＰＣ、携帯電話端末、ＣＣＤ等を備えるデジタルカメラ、ＰＤＡ（Personal Digital Assistant）や携帯型デジタル音楽プレーヤ等のモバイル端末機器、ディスプレイ装置を内蔵したカーナビゲーションシステムなどにも適用することができる。
【符号の説明】
【００９４】
１                ３次元ディスプレイ装置
１１ａ〜１１ｃ    ＨＤＭＩ入力端子
１１ｄ            ＨＤＭＩスイッチ
１００            ＨＤＭＩレシーバ
１０１ａ          映像入力端子
１０１ｂ          音声入力端子
１０２            ＢＤドライブ
１０３            チューナ
１０４            ＩＰ放送チューナ
１０５            衛星放送チューナ
１０６            ＯＳＤ生成部（表示手段）
１０７            映像セレクタ
１０８            映像処理回路
１０９            ＬＣＤコントローラ（表示制御手段）
１１０            ＬＣＤ（表示部）
１１１            音声セレクタ
１１２            音声処理回路
１１３            デジタルアンプ
１１４            スピーカ
１１５            イーサネットＩ／Ｆ
１１６            ＲＯＭ
１１７            ＲＡＭ
１１８            ＣＰＵ（判定手段）
１１９            リモコン赤外線受光部
１２０            ＩｒＳＳ赤外線受光部
１２１            ＵＳＢ・Ｉ／Ｆ
１２２            赤外線発光部
１３０            スイッチ
１３１            ３Ｄ処理部
１３２            ２Ｄ−３Ｄ変換部
１３３            眼鏡制御部
【図１】
2012029001.tif 000003
【図２】
2012029001.tif 000004
【図３】
2012029001.tif 000005
【図４】
2012029001.tif 000006
【図５】
2012029001.tif 000007